(57)【要約】【課題】ホテル内のレストラン・会場でサーブする際にグラス中の飲み物がこぼれないようにコップを保持できるコップホルダを提供する。【解決手段】本考案に係るコップホルダ１００は、コップ１０の底部を覆う環状壁部２０と、環状壁部２０の外径（φ１）よりも大きい寸法（φ２）を有する板状部材３０とを備えている。環状壁部２０の外径（φ１）は、コップ１０の開口縁部１２の内径（φＣ１）よりも小さく、板状部材３０の寸法（φ２）は、コップ１０の開口縁部１２の内径（φＣ１）よりも大きい。【選択図】図５
0003208327.tif 000002
【実用新案登録請求の範囲】
【請求項１】
コップを保持するコップホルダであって、
コップの底部を覆う環状壁部と、
前記環状壁部に接続され、前記環状壁部の外径よりも大きい寸法を有する板状部材と
を備え、
前記環状壁部の外径は、前記コップの開口縁部の内径よりも小さく、
前記板状部材の前記寸法は、前記コップの開口縁部の内径よりも大きいことを特徴とする、コップホルダ。
【請求項２】
前記環状壁部は、円環状壁部であり、
前記板状部材は、円盤状部材であり、
前記円盤状部材のうちの、前記環状壁部が位置する面とは反対の面には、前記円盤状部材の前記寸法よりも小さい寸法を有する突起部が形成されている、請求項１に記載のコップホルダ。
【請求項３】
前記突起部は、飛行機または列車の座席テーブルに設けられた円形凹部に対応した円形形状を有している、請求項２に記載のコップホルダ。
【請求項４】
前記円環状壁部の上面は、水平方向に沿って延びており、
前記円環状壁部の側面は、鉛直方向に対して斜めの角度に延びている、請求項２または３に記載のコップホルダ。
【請求項５】
前記円環状壁部の内壁には、環状リブ部が形成されており、
前記環状リブ部の内径は、前記円環状壁部の上面における内径よりも小さいことを特徴とする、請求項２から４の何れか一つに記載のコップホルダ。
【請求項６】
前記環状リブ部に対応した位置において、前記円環状壁部の側面に凹部が形成されている、請求項５に記載のコップホルダ。
【請求項７】
前記板状部材には、貫通孔が形成されている、請求項１から６の何れか一つに記載のコップホルダ。
【請求項８】
前記環状壁部には、切れ目が形成されている、請求項１から７の何れか一つに記載のコップホルダ。
【請求項９】
前記環状壁部および前記板状部材は樹脂材料から構成されており、
前記環状壁部および前記板状部材は一体成形されており、
前記コップは、タンブラーグラス、紙コップおよびプラスチックコップからなる群から選択される一つである、請求項１から８の何れか一つに記載のコップホルダ。
【請求項１０】
コップを保持するコップホルダであって、
コップの底部を覆う環状壁部と、
前記環状壁部に接続され、前記環状壁部の外径よりも大きい寸法を有する板状部材と
を備え、
前記板状部材は正六角形である、コップホルダ。
【請求項１１】
前記環状壁部は、円環状壁部であり、
前記円環状壁部の上面は、水平方向に沿って延びており、
前記円環状壁部の側面は、鉛直方向に沿って延びている、請求項１０に記載のコップホルダ。
【請求項１２】
前記板状部材のうちの、前記環状壁部が位置する面とは反対の面には、凹部が形成されている、請求項１０または１１に記載のコップホルダ。
【請求項１３】
さらに、突起補助具を備えており、
前記突起補助具は、
前記凹部に対応した接続部と、
前記接続部を支持する土台部と
から構成されている、請求項１２に記載のコップホルダ。
【請求項１４】
前記土台部は、飛行機または列車の座席テーブルに設けられた円形凹部に対応した円形形状を有している、請求項１３に記載のコップホルダ。
【請求項１５】
前記接続部と前記凹部とは互いにネジ構造で結合されている、請求項１３または１４に記載のコップホルダ。
【請求項１６】
前記環状壁部の内部に花が挿入される、請求項１０から１５の何れか一つに記載のコップホルダ。
【請求項１７】
コップホルダに組み合わせて使用される盆であって、
板状部材と、
前記板状部材に設けられ、前記コップホルダの底面に対応した形状の凹部と、
互いに隣接する前記凹部を仕切る境界部と
を備えている、盆。
【請求項１８】
前記板状部材の縁部には、グラスを保持可能なグラスフック開口部が形成されている、請求項１７に記載の盆。
【請求項１９】
前記板状部材は、円盤形状を有しており、
前記板状部材に設けられた前記凹部は、正六角形を有しており、
前記グラスフック開口部は、円弧形状を有している、請求項１８に記載の盆。
【請求項２０】
前記凹部は、点対称に複数形成されており、
前記グラスフック開口部は、点対称に複数形成されている、請求項１８または１９に記載の盆。
【請求項２１】
前記凹部には、突起部が形成されている、請求項１７から２０の何れか一つに記載の盆。
【請求項２２】
コップホルダを備えた盆であって、
コップを収納する環状壁部と、
前記環状壁部の下方に位置するトレイ部と
を備え、
前記トレイ部のうち前記環状壁部内の底面に位置する部位には、前記コップの底面を支持する底上げ部が形成されており、
前記環状壁部と前記トレイ部との間の少なくとも一部には、隙間が形成されている、盆。
【請求項２３】
前記環状壁部は、円環状壁部であり、
前記円環状壁部は、複数個、前記トレイ部に設けられており、
前記隙間には、ワイングラスのフット部が挿入される、請求項２２に記載の盆。
【請求項２４】
前記環状壁部と前記トレイ部との間に位置する前記隙間は、リング部材を介在させることによって形成されている、請求項２２または２３に記載の盆。
【請求項２５】
コップホルダを備えた盆であって、
コップを収納する環状壁部と、
前記環状壁部の下方に位置するトレイ部と
を備え、
前記環状壁部は、複数個、前記トレイ部に設けられており、
前記環状壁部は、前記トレイ部に一体的に形成されている、盆。
【請求項２６】
前記環状壁部は、断面が円形で側面が傾斜した壁部であり、
前記環状壁部は、前記トレイ部の中心線からずれた位置に配置されている、請求項２５に記載の盆。
【考案の詳細な説明】
【技術分野】
【０００１】
本考案は、コップホルダに関する。特に、ホテル内のレストラン・会場でサーブする際にコップ（グラス）中の液体がこぼれないように改良したコップホルダに関する。
【背景技術】
【０００２】
従来から、ガラス製や陶器製のコップに比べて安価で取り扱いが容易であるとともに、使い捨てができる紙コップが屋外やオフィスで多く使用されている。紙コップに熱い飲み物を入れた場合、紙コップの温度がその紙コップを持っている手に直接伝わりやすいために、紙コップを持っていられないときがある。そこで、紙コップ用のカップホルダーが提案されている（例えば、特許文献１参照）。
【０００３】
図１は、特許文献１に開示されたコップホルダ１０００を示している。図１に示したコップホルダ１０００は、紙コップ１１００を収納する開口部１２３０を構成するコップ保持体１２１０と、コップ保持体１２１０に連続して形成されている把持体１２５０とから構成されている。図１に示したコップホルダ１０００によれば、熱い飲料が入った紙コップ１１００でも把持体１２５０を手で持つことで、熱さを感じずに紙コップを保持できる。
【０００４】
また、冷たい飲料を保冷できるコップセットも提案されている（例えば、特許文献２参照）。図２は、特許文献２に開示されたコップセット２０００を示している。図２に示したコップセット２０００は、コップ２１００を収納する開口部２２３０を構成するホルダー本体部２２１０と、ホルダー本体部２２１０に取り付けられた持手２２５０とから構成されている。ホルダー本体部２２１０は、有底筒状の形状を有する保冷機能を持った部材である。図２に示したコップセット２０００によれば、冷たい飲料（ビールなど）をホルダー本体部２２１０で冷却しながら保持することができる。
【０００５】
さらに、取っ手のあるコップの転倒を防ぐコップホルダも提案されている（例えば、特許文献３参照）。図３は、特許文献２に開示されたコップホルダ３０００を示している。図３に示したコップホルダ３０００は、コップ３１００を収納する円筒部３２１０と、円筒部３２１０に形成された切れ込み３２５０と、円筒部３２１０の底に設けられた底面部３２３０とから構成されている。図３に示したコップホルダ３０００によれば、コップ３１００の取っ手を切れ込み３２５０に差し込むことができるとともに、底面部３２３０によって転倒防止を行うことができる。
【０００６】
そして、飲料コップに蓋を付けるとともにその蓋を含む全体を覆う覆い蓋も提案されている（例えば、特許文献４参照）。図４は、特許文献２に開示された蓋４３００および覆い蓋４２００を含むコップ全体４０００を示している。図４に示したコップ全体４０００の構成は、コップ４１００の開口部縁部にセットされた蓋４３００と、蓋４３００の縁部４３３０に着脱自在に取り付けた覆い蓋４２００とから構成されている。蓋４３００には、飲口４３２０が設けられており、そして、その飲口を塞ぐ栓部４３１０が設けられている。図４に示したコップ全体構成４０００によれば、覆い蓋４２００によって飲口の栓部４３１０を保護することができるとともに、多少の液漏れがあっても外部に飛散することがなく、そして、蓋４３００に外部から埃等が付着しないようにすることができる。加えて、覆い蓋４２００は、結露した液を外部に落下させないようにしたコースターとしても使用することができる。
【先行技術文献】
【特許文献】
【０００７】
【特許文献１】実用新案登録第３１８１９５２号公報
【特許文献２】特開２０１０−１４８８４９号公報
【特許文献３】特開２００６−３１４７３９号公報
【特許文献４】特開２０１５−１６７７６３号公報
【考案の概要】
【考案が解決しようとする課題】
【０００８】
本願考案者は、ホテル内のレストラン・会場（結婚式会場、贈呈式会場、パーティ会場など）でサーブする際にコップ（またはグラス）中の液体がこぼれないようにすることを検討していた。通常、レストランにおいて、お客に飲み物を届ける場合は、コップ（グラス）に飲み物（例えば、ワイン・ビールなどのアルコールや、オレンジジュース・炭酸飲料や水などのドリンク）を入れた後に、それをお盆（トレイ）に載せて、テーブルに座っているお客に届ける。通常レストランではこのように飲み物のサーブを行うが、ホテル内のレストラン・会場では、少し事情が異なる。すなわち、通常のレストランでは、トレイ上のグラスが傾いて飲み物がお客にかかったとしても、その場で丁寧に謝罪したり、クリーニング代を支給する等で対応することができる。
【０００９】
一方、ホテル内のレストラン・会場では、高価な衣装（例えば、数百万から数千万円の和装など）を着た客が多数存在し、絶対に飲み物を高価な衣装にかけるようなことがあってはいけないという極めて緊張感の高い状況で飲み物のサーブをする必要がある。特に、テーブルとテーブルの間の狭いスペースを、飲み物が入ったグラスを片手でトレイに載せて、しかも迅速に移動する必要がある。パーティの時などは会場内での人の行き来も多く、サーブする人（ウエイター、ウエイトレス）は片手でトレイを支えている不安定な状態であるから、不意な接触で飲み物をお客にかけてしまう可能性があることは否定できない。
【００１０】
最上級のホテルでは、そのような不意なアクシデントでもトレイの上のグラスの飲み物をこぼさないように十分な訓練を施しているが、それでも、アクシデントをゼロにすることはできないので、高価な衣装に飲み物をかけてしまうことがある。その場合、謝罪だけではおさまらず、クリーニングをした後、直接、お客のもとに担当者がその衣装を持参することが慣例となっている。例えば、大阪のホテルが会場でパーティをしていた時に、衣装に飲み物がかけられた人が北海道に在住していたとしたならば、北海道まで持参する必要がある。もちろん、クリーニングした衣装を持参して謝罪したとしても、飲み物を衣服にかけてしまったという悪い評価が消えてなくなるものではない。
【００１１】
また、衣装に飲み物をかけないように、より安全に、ゆっくり移動してサーブした場合は、当然ながら、お客へ飲み物が届くのが遅くなり、お客への不満につながる。さらに、その不満を補うために、サーブする人を増やしたとしたら、パーティ運営のコスト（人件費）が上がるだけでなく、パーティ会場でサーブする人がすれ違う確率が上がり、かえって衣装に飲み物をかけてしまう可能性があがってしまうかもしれない。
【００１２】
そのような状況下で、本願考案者は、飲み物が入ったグラスをトレイの上に置いた状態で、簡単に迅速に安全にサーブできる手法はないか考えていた。特許文献１から４に示したように、コップやグラスを保持するカップホルダーは数多く提案されているが、従来のカップホルダー（グラスホルダー）は、ホテル内のレストラン・会場では、高価な衣装に飲み物をかけないようにすることができるカップホルダーではない。
【００１３】
例えば、特許文献１に開示されたコップホルダ１０００の場合、熱い飲み物を入れた紙コップの熱さの問題を解消することはできるが、水が入ったグラスや、ワインやシャンパンが入ったワイングラス（シャンパングラス）のサーブに役立つものではない。具体的には、ワイングラスなどの容器にコップ保持体１２１０をひっかけることができない。特許文献２に開示されたコップセット２０００の場合、冷たい飲料を保冷することはできるものの、これも、ホテル内のレストランでのサーブに役立つものではない。また、図３に示したコップホルダ３０００の場合、取っ手が付いた陶器製のコップを固定するものであるので、ホテル内のレストランにおいて、ワインやシャンパンが入ったワイングラス（シャンパングラス）のサーブに役立つものではない。同様に、図４に示した蓋４３００および覆い蓋４２００も、ワイングラス（シャンパングラス）のサーブに役立つものではない。加えて、図４に示した覆い蓋４２００は、結露した液を外部に落下させないようにしたコースターとしても使用することができるものであるが、この覆い蓋４２００で、ワインやシャンパンが入ったワイングラス（シャンパングラス）がこぼれることを防ぐことはできない。
【００１４】
本願考案者は、既存のコップホルダなどでは、飲み物が入ったグラスをトレイの上に置いた状態でサーブ中にグラス中の液体がこぼれないようにするのは難しいと思っていたが、鋭意検討した結果、上述の問題を解決できる手法を見つけて本考案に至った。本考案はかかる点に鑑みてなされたものであり、その主な目的は、ホテル内のレストラン・会場でサーブする際にグラス中の飲み物がこぼれないようにコップを保持することができるコップホルダを提供することにある。
【課題を解決するための手段】
【００１５】
本考案に係るコップホルダは、コップを保持するコップホルダであり、コップの底部を覆う環状壁部と、前記環状壁部に接続され、前記環状壁部の外径よりも大きい寸法を有する板状部材とを備えている。前記環状壁部の外径は、前記コップの開口縁部の内径よりも小さく、前記板状部材の前記寸法は、前記コップの開口縁部の内径よりも大きい。
【００１６】
ある好適な実施形態において、前記環状壁部は、円環状壁部であり、前記板状部材は、円盤状部材である。前記円盤状部材のうちの、前記環状壁部が位置する面とは反対の面には、前記円盤状部材の前記寸法よりも小さい寸法を有する突起部が形成されている。
【００１７】
ある好適な実施形態において、前記突起部は、飛行機または列車の座席テーブルに設けられた円形凹部に対応した円形形状を有している。
【００１８】
ある好適な実施形態において、前記円環状壁部の上面は、水平方向に沿って延びており、前記円環状壁部の側面は、鉛直方向に対して斜めの角度に延びている。
【００１９】
ある好適な実施形態において、前記円環状壁部の内壁には、環状リブ部が形成されており、前記環状リブ部の内径は、前記円環状壁部の上面における内径よりも小さい。
【００２０】
ある好適な実施形態では、前記環状リブ部に対応した位置において、前記円環状壁部の側面に凹部が形成されている。
【００２１】
ある好適な実施形態において、前記板状部材には、貫通孔が形成されている。
【００２２】
ある好適な実施形態において、前記環状壁部には、切れ目が形成されている。
【００２３】
ある好適な実施形態において、前記環状壁部および前記板状部材は樹脂材料から構成されており、前記環状壁部および前記板状部材は一体成形されており、前記コップは、タンブラーグラス、紙コップおよびプラスチックコップからなる群から選択される一つである。
【００２４】
本考案に係るコップホルダは、コップを保持するコップホルダであり、コップの底部を覆う環状壁部と、前記環状壁部に接続され、前記環状壁部の外径よりも大きい寸法を有する板状部材とを備え、前記板状部材は正六角形である。
【００２５】
ある好適な実施形態において、前記環状壁部は、円環状壁部であり、前記円環状壁部の上面は、水平方向に沿って延びており、前記円環状壁部の側面は、鉛直方向に沿って延びている。
【００２６】
ある好適な実施形態において、前記板状部材のうちの、前記環状壁部が位置する面とは反対の面には、凹部が形成されている。
【００２７】
ある好適な実施形態では、さらに、突起補助具を備えている。前記突起補助具は、前記凹部に対応した突起部と、前記接続部を支持する土台部とから構成されている。
【００２８】
ある好適な実施形態において、前記土台部は、飛行機または列車の座席テーブルに設けられた円形凹部に対応した円形形状を有している。
【００２９】
ある好適な実施形態において、前記接続部と前記凹部とは互いにネジ構造で結合されている。
【００３０】
ある好適な実施形態では、前記環状壁部の内部に花が挿入される。
【００３１】
本考案に係る盆は、コップホルダに組み合わせて使用される盆であり、板状部材と、前記板状部材に設けられ、前記コップホルダの底面に対応した形状の凹部と、互いに隣接する前記凹部を仕切る境界部とを備えている。
【００３２】
ある好適な実施形態において、前記板状部材の縁部には、グラスを保持可能なグラスフック開口部が形成されている。
【００３３】
ある好適な実施形態において、前記板状部材は、円盤形状を有しており、前記板状部材に設けられた前記凹部は、正六角形を有しており、前記グラスフック開口部は、円弧形状を有している。
【００３４】
ある好適な実施形態において、前記凹部は、点対称に複数形成されており、前記グラスフック開口部は、点対称に複数形成されている。
【００３５】
ある好適な実施形態において、前記凹部には、突起部が形成されている。
【００３６】
本考案に係る盆は、コップホルダを備えた盆であり、コップを収納する環状壁部と、前記環状壁部の下方に位置するトレイ部とを備えている。前記トレイ部のうち前記環状壁部内の底面に位置する部位には、前記コップの底面を支持する底上げ部が形成されている。前記環状壁部と前記トレイ部との間の少なくとも一部には、隙間が形成されている。
【００３７】
ある好適な実施形態において、前記環状壁部は、円環状壁部であり、前記円環状壁部は、複数個、前記トレイ部に設けられており、前記隙間には、ワイングラスのフット部が挿入される。
【００３８】
ある好適な実施形態において、前記環状壁部と前記トレイ部との間に位置する前記隙間は、リング部材を介在させることによって形成されている。
【００３９】
本考案に係る盆は、コップホルダを備えた盆であり、コップを収納する環状壁部と、前記環状壁部の下方に位置するトレイ部とを備えている。前記環状壁部は、複数個、前記トレイ部に設けられており、前記環状壁部は、前記トレイ部に一体的に形成されている。
【００４０】
ある好適な実施形態において、前記環状壁部は、断面が円形で側面が傾斜した壁部であり、前記環状壁部は、前記トレイ部の中心線からずれた位置に配置されている。
【考案の効果】
【００４１】
本考案に係るコップホルダによれば、コップの底部を覆う環状壁部と、環状壁部に接続された板状部材とから構成されているので、大きい寸法の板状部材によってコップの転倒を防止することができるとともに、そのコップホルダを逆にして、環状壁部をコップ内に入れて板状部材でコップの口を抑えることにより、コップの蓋として機能させることができる。その結果、飲み物が入ったコップ（グラス）をトレイの上に置いた状態でサーブしても、コップ中の液体がこぼれないようにすることができる。特に、コップホルダを蓋として使用する時だけでなく、コップホルダをコップの支え（土台）にした時の両方で、コップ中の液体がこぼれないようにすることができるので、サーブの準備およびサーブ実行時の両方で便利である。なお、このコップホルダは、ホテルのレストラン・会場だけでなく、飛行機のドリンクサーブの時にも便利である。
【図面の簡単な説明】
【００４２】
【図１】特許文献１に開示されたコップホルダ１０００を示す図である。
【図２】特許文献２に開示されたコップセット２０００を示す図である。
【図３】特許文献３に開示されたコップホルダ３０００を示す図である。
【図４】特許文献４に開示されたコップ全体４０００を示す図である。
【図５】本考案の実施形態に係るコップホルダ１００の構成を示す斜視図である。
【図６】本考案の実施形態に係るコップホルダ１００の構成を示す斜視図である。
【図７】本考案の実施形態に係るコップホルダ１００の斜視図である。
【図８】本考案の実施形態に係るコップホルダ１００の正面図である。
【図９】本考案の実施形態に係るコップホルダ１００の上面図である。
【図１０】本考案の実施形態に係るコップホルダ１００の底面図である。
【図１１】本考案の実施形態に係るコップホルダ１００の構成（改変例）を示す斜視図である。
【図１２】本考案の実施形態に係るコップホルダ１００の斜視図（上面側）である。
【図１３】本考案の実施形態に係るコップホルダ１００の斜視図（底面側）である。
【図１４】本考案の実施形態に係るコップホルダ１００をテーブルの凹部にセットする際の使用例を示す図である。
【図１５】本考案の実施形態に係るコップホルダ１００の構成（改変例）を示す斜視図である。
【図１６】本考案の実施形態に係るコップホルダ１００の改変例の正面図である。
【図１７】本考案の実施形態に係るコップホルダ１１０の使用例を示す斜視図である。
【図１８】本考案の実施形態に係るコップホルダ１１０の使用例を示す斜視図である。
【図１９】本考案の実施形態に係るコップホルダ１１０の斜視図である。
【図２０】本考案の実施形態に係るコップホルダ１１０の正面図である。
【図２１】本考案の実施形態に係るコップホルダ１１０の上面図である。
【図２２】本考案の実施形態に係るコップホルダ１１０の底面図である。
【図２３】本考案の実施形態に係るコップホルダ１１０及び盆５０の使用例を示す斜視図である。
【図２４】本考案の実施形態に係る盆５０の使用例を示す斜視図である。
【図２５】本考案の実施形態に係る盆５０の上面図である。
【図２６】本考案の実施形態に係る盆５０の正面図である。
【図２７】本考案の実施形態に係る盆５０の底面図である。
【図２８】本考案の実施形態に係る盆５０の側面図である。
【図２９】本考案の実施形態に係る盆５０の改変例を示す斜視図である。
【図３０】本考案の実施形態に係る盆５０の改変例の上面図である。
【図３１】本考案の実施形態に係る盆５０の改変例の構成を示す斜視図である。
【図３２】本考案の実施形態に係る盆５０の改変例の上面図である。
【図３３】本考案の実施形態に係る盆５０の改変例の構成を示す斜視図である。
【図３４】本考案の実施形態に係る盆５０の改変例の上面図である。
【図３５】本考案の実施形態に係る盆５０の改変例の正面図である。
【図３６】本考案の実施形態に係るコップホルダ１１０の構成を示す斜視図である。
【図３７】本考案の実施形態に係るコップホルダ１１０の構成を示す斜視図（底面側）である。
【図３８】本考案の実施形態に係るコップホルダ１１０をテーブルの凹部にセットする際の使用例を示す図である。
【図３９】本考案の実施形態に係るコップホルダ１１０の底面図である。
【図４０】本考案の実施形態に係るコップホルダ１１０の断面図である。
【図４１】本考案の実施形態に係るコップホルダ１１０及び盆５０の使用例を示す斜視図である。
【図４２】本考案の実施形態に係る盆５０の上面図である。
【図４３】本考案の実施形態に係るコップホルダ１１０に花を入れた使用例を示す斜視図である。
【図４４】本考案の実施形態に係るコップホルダ１１０に花を入れた使用例を示す斜視図である。
【図４５】本考案の実施形態に係る盆７０の使用例を示す斜視図である。
【図４６】本考案の実施形態に係る盆７０の構成を示す斜視図である。
【図４７】本考案の実施形態に係る盆７０の構成を示す上面図である。
【図４８】本考案の実施形態に係る盆７０の構成を説明するための分解図である。
【図４９】本考案の実施形態に係る盆７０Ｂの構成を示す斜視図である。
【図５０】本考案の実施形態に係るコップホルダ１００の構成（改変例）を示す斜視図である。
【考案を実施するための形態】
【００４３】
本願考案者は、従来のコップホルダを用いたり、または、サーブする人（ウエイトレス、ウエイター）の習熟度を上げる手法ではなく、飲み物が入ったコップ（グラス）をトレイ（トレンチ）の上に置いた状態でサーブ中にグラス中の液体がこぼれないようにする新たなコップホルダを考案した。以下、図面を参照しながら、本考案の好適な実施形態を説明する。以下の図面においては、説明の簡潔化のために、同じ作用を奏する部材、部位には同じ符号を付し、重複する説明は省略または簡略化することがある。また、各図における寸法関係（長さ、幅、厚さ等）は、基本的にその寸法関係を満たすようにしたが、必ずしも実際の寸法関係を正確に反映していない場合がある。
【００４４】
また、本明細書において特に言及している事項以外の事柄であって本考案の実施に必要な事項は、当該分野における従来技術に基づく当業者の設計事項として把握され得る。本考案は、本明細書及び図面によって開示されている内容と当該分野における技術常識とに基づいて実施することができる。加えて、本考案は、以下の実施形態に限定されるものではない。
【００４５】
（実施形態１）
図５は、本考案の実施形態に係るコップホルダ１００の構成を示している。本考案のコップホルダ１００は、コップ１０を保持するコップホルダである。また、図６は、本実施形態に係るコップホルダ１００の使用例を説明するための図である。加えて、図７は、本実施形態のコップホルダ１００単体の斜視図であり、そして、図８及び図９は、それぞれ、本実施形態のコップホルダ１００単体の上面図および底面図である。
【００４６】
なお、本実施形態において「コップ」とは、「カップ」と「グラス」とを包含する飲み物用の容器のことを意味する。また、「カップ」とは、取っ手つきの暖かい飲み物用のコップのことを意味し、典型的には、陶器製のカップ、例えば、コーヒーカップ、ティーカップ、マグカップである。「グラス」とは、取っ手のない飲み物用のコップのことを意味し、典型的には、冷たい飲み物用のガラス製コップのことを意味する。本実施形態において「コップ」と称する場合、ガラスコップ、セラミックコップ、金属コップ、紙コップ、プラスチックコップを意図していることが多い。また、本実施形態の「グラス」と称する場合、ガラス製グラス、紙製グラス、プラスチック製グラスを意図していることが多く、具体的には、タンブラーグラス、ワイングラス、シャンパングラス、ブランデーグラス、カクテルグラス、ゴブレットなどである。説明を簡明にする上で、「タンブラーグラス」をガラスコップと称する場合がある。また、「ワイングラス」は、「シャンパングラス」や「ブランデーグラス」も含めて「ワイングラス」と称する場合があり、足つきグラスの「ゴブレット」も、ワインを入れない場合であっても「ワイングラス」と称する場合もある。
【００４７】
本実施形態のコップホルダ１００は、コップ１０の底部を覆う環状壁部２０と、環状壁部２０に接続された板状部材３０とから構成されている。本実施形態の環状壁部２０は、円環状壁部である。円環状壁部２０の側面（壁面）２０ｓは、鉛直方向に延びていてもよいが、図示した例では、コップ１０の本体部（容器部）１１が斜めになっているのにあわせて、斜めに延びている。また、本実施形態の板状部材３０は、円盤状部材である。
【００４８】
なお、コップ１０は基本的に円筒形状（断面円形）であるので、環状壁部２０は断面円形の部材（円環部材または略円筒部材）であることが好ましいが、コップ１０の断面形状が多角形（例えば六角形）である場合は、その多角形に対応した環状壁部（例えば、断面六角形の筒状部材）であってもよい。板状部材３０は、典型的には、円環状壁部２０の断面円形の中心点を共通にする円形の形状（円盤部材）を有していることが好ましいが、多角形（例えば、正六角形、正八角形など）の板状部材を使用することも可能である。
【００４９】
本実施形態の構成において、板状部材（円盤状部材）３０の寸法（径φ２）は、環状壁部（円環状壁部）２０の外径（φ１）よりも大きい。板状部材３０が円形以外の形状である場合は、円環状壁部２０の外径（φ１）よりも大きな寸法を有する形状の板状部材となる。また、環状壁部（円環状壁部）２０の外径（φ１）は、使用するコップ１０の開口縁部１２における内径（φＣ１）よりも小さい。さらに、板状部材（円盤状部材）３０の寸法（φ２）は、コップ１０の開口縁部１２の内径（φＣ１）よりも大きい。
【００５０】
本実施形態の板状部材（円盤状部材）３０は、その縁部に壁部３２を有している。この板状部材３０の壁部３２は、コップ１０から落ちてきた水滴を板状部材３０（コップホルダ１００）で留めておく機能を有している。また、板状部材３０の壁部３２は、比較的薄い板状部材３０の縁部を保護する機能も有している。
【００５１】
本実施形態のコップホルダ１００は、図５に示した状態でコップ１０の底部を保持することができるとともに、図６に示すように、コップホルダ１００を上下反対向きにして、コップ１０の開口部（開口縁部１２で規定される開口）１３に環状壁部（円環状壁部）２０を挿入することで、コップホルダ１００をコップ１０の蓋として機能させることができる。
【００５２】
図５に示したコップ１０は側面１１が傾斜しているグラスであるので、本実施形態のコップホルダ１００は、図５に示した状態でコップ１０の底面１５（またはその周囲の部位１６）を保持しながら、図６に示すようにコップ１０の蓋として機能させることができる。図示した例のコップ１０は、透明のプラスチックコップ（例えば、水やアイスコーヒーを入れるコップ）であるが、ガラスコップであっても、不透明のプラスチックコップ（着色プラスチックコップ）であっても、紙コップであってもよい。
【００５３】
図６に示すように、この例のコップ１０は、底面１５の直径（φＣ１）は、コップ本体部１１の下部部位（段差の径が大きい方の部位）１６の直径（φＣ２）よりも小さい構造を有している。言い換えと、図示したコップ１０は、コップ本体部１１の下部領域において縮径部位１７（凹部部位）を有している。この縮径部位１７の段差に対応して、本実施形態のコップホルダ１００では、環状リブ部２６が形成されている。環状リブ部２６は、円環状壁部２０の内壁２０ｉに形成されている。図７でわかりやすく示すように、環状リブ部２６の内径（φ５Ｂ）は、環状壁部２０の上面２０ｔにおける内径（開口部２５の内径φ１Ｂ）よりも小さい。
【００５４】
また、本実施形態のコップホルダ１００では、環状リブ部２６に対応した位置において、円環状壁部２０の側面２０ｓに凹部２７が形成されている。凹部２７の存在によって環状リブ部２６を形成することによって、コップホルダ１００の厚さを一定にすることができる。また、凹部２７を形成することにより、凹部２７が存在しない場合と比較して、コップホルダ１００の重量を軽くすることができる。なお、円環状壁部２０の側面２０ｓに凹部２７を形成せずに、環状リブ部２６を形成することも可能である。
【００５５】
本実施形態の構成では、図８にわかりやすく示すように、円環状壁部２０の上面２０ｔは、水平方向９９Ｂに沿って延びている。また、円環状壁部２０の側面２０ｓは、鉛直方向９９Ａに対して斜めの角度（θ）に延びている。この角度θは、使用するコップ１０の傾斜角度に応じて決められ、角度θは、例えば、３°から３０°（典型的には、５°から１０°程度）である。なお、円環状壁部２０の上面２０ｔは、直線的に水平方向９９Ｂに延ばすほか、曲線（例えば、周期的に波打つような形状）で延ばしてもよい。本実施形態の円環状壁部２０の上面２０ｔは、平面であるが、それに限らず、角を丸くしたり、全体的に曲面（例えば、上に凸の曲面）にしてもよい。本実施形態の円環状壁部２０の側面２０ｓは、図８に示すような側面（または、正面・背面）から見て直線であるが、それに限らず、円環状壁部２０の側面２０ｓに模様を付けたり（または、社名や商品名、ロゴマーク、キャッチフレーズ、広告などの文字や模様を付けたり）、曲線にしたりしてもよい。
【００５６】
さらに、本実施形態の構成では、図６または図８でわかりやすく示すように、円盤状部材３０のうちの、環状壁部２０が位置する面（上面３０Ａ）とは反対の面（下面３０Ｂ）には、円盤状部材３０の寸法（φ２）よりも小さい寸法（φ３）を有する突起部３５が形成されている。この突起部３５は、コップホルダ１００を置くテーブル（または、トレイ）などに設けられた凹部にはめ込むことで、コップホルダ１００（ひいてはコップ１０）を安定させることができる効果を発揮することができる。例えば、コップホルダ１００の突起部３５を、飛行機（又は列車）の座席に取り付けられたテーブルに形成されている凹部（窪み部、リセス部）にあわせて形成することで、その飛行機（列車）のテーブルに専用のコップホルダ１００を構築することができる。飛行機は揺れることが多いので、本実施形態のコップホルダ１００の突起部３５によって、コップ１０をさらに安定にすることができることは顕著な効果を奏する。
【００５７】
本実施形態のコップホルダ１００は、樹脂材料で一体的に成形されている。例えば、コップホルダ１００は、金型による樹脂成形、３Ｄプリンター成形などで作製することができる。なお、本実施形態のコップホルダ１００を、パーツに分けて、分解・組立可能なように作製することも可能である。加えて、コップホルダ１００は、樹脂材料だけでなく、他の材料（例えば、金属、セラミック、木材など）から構築することも可能である。
【００５８】
また、本実施形態のコップホルダ１００は、使用するコップ１０にあわせて設計・製造されるので、その具体的な形状・寸法は適宜好適なものが選択される。例示的にコップホルダ１００の寸法を示すと、コップホルダ１００の高さＨは、例えば、３ｍｍ〜６０ｍｍ（典型的には、５ｍｍ〜３０ｍｍ）である。また、コップホルダ１００の環状壁部２０の開口部２５（上面２０ｔの部位）における外径（φ１）は、例えば、４０ｍｍ〜１００ｍｍ（典型的には、６０ｍｍ〜８０ｍｍ）である。環状壁部２０うち板状部材３０に接する箇所の外径（φ５Ａ）は、例えば、４０ｍｍ〜９０ｍｍ（典型的には、４０ｍｍ〜８０ｍｍ）である。また、環状壁部２０の厚さは、例えば、０．５ｍｍ〜１０ｍｍ（典型的には、１ｍｍ〜５ｍｍ）である。さらに、コップホルダ１００の環状壁部２０の開口部２５（上面２０ｔの部位）における内径（φ１Ｂ）は、例えば、３０ｍｍ〜９９ｍｍ（典型的には、４０ｍｍ〜７０ｍｍ）である。加えて、環状壁部２０内の環状リブ部２６の出っ張りは、例えば、０．５ｍｍ〜５ｍｍ（典型的には、１ｍｍ〜３ｍｍ）である。環状リブ部２６における内径（φ５Ｂ）は、例えば、５０ｍｍ〜７０ｍｍ程度である。なお、これらは例示であるので、それらの寸法に限定されるものでなく、他の寸法を採用することも可能である。また、コップホルダ１００の形状・構造についても図５から１０に示したものだけでなく、他の形状・構造のものを採用することも可能である。
【００５９】
図１１は、本実施形態のコップホルダ１００の改変例を示している。図１１に示したコップホルダ１００は、板状部材３０に貫通孔３７が形成されている。図示した例では、板状部材３０に突起部３５が形成されているので、突起部３５を含めて板状部材３０に貫通孔３７が形成されている。貫通孔３７を形成することにより、コップホルダ１００で蓋をした状態のコップ１０の中の圧力があがったとしても、その圧力を調整することができる。すなわり、コップ１０内に熱い飲み物（例えば、ホットコーヒー、ホットスープ）を入れた場合、コップ１０の圧力が上昇して、コップホルダ１００の蓋が外れてしまう可能性がでてくるが、貫通孔３７によってその問題を解消することができる。
【００６０】
加えて、板状部材３０の貫通孔３７をストロー孔にした場合、当該ストロー孔３７にストローを挿入して、コップホルダ１００の蓋をした状態でコップ１０内の飲み物を飲むことができる。
【００６１】
図１２および図１３は、貫通孔３７を有するコップホルダ１００の構成を示している。図１２は、当該コップホルダ１００の上面側（コップホールドのコースター機能の側）の斜視図を示している。また、図１３は、当該コップホルダ１００の裏面側（コップの蓋機能の側）の斜視図である。
【００６２】
図１２に示した構成では、環状壁部（円環状壁部）２０は、図７に示した構成のものよりも低く構築（設計・作製）されている。また、環状壁部（円環状壁部）２０は、鉛直方向に沿って延びており、すなわち、斜めになっていない。言い換えると、環状壁部（円環状壁部）２０で囲まれた底面２１に対して、環状壁部（円環状壁部）２０は直角（または実質的に直角）に延びている。
【００６３】
また、貫通孔３７は、環状壁部（円環状壁部）２０で囲まれた底面２１の中心点に形成されている。ただし、当該中心点からずらした位置に貫通孔３７を形成しても構わない。図示した構成では、図７に示した構成のような凹部２７は形成されておらず、環状壁部（円環状壁部）２０の寸法（直径）よりも大きい台座部２８が形成されている。加えて、図１３に示すように、板状部材（円盤状部材）３０の裏面３０Ｂには突起部３５が形成されている。
【００６４】
なお、図１２及び図１３に示したコップホルダ１００は貫通孔３７を備えているが、貫通孔３７の機能が不要であれば、当該構造において貫通孔３７を形成しない構造でコップホルダ１００を構築することもできる。
【００６５】
図１４は、本実施形態のコップホルダ１００を、テーブル９０の凹部９５に装着（挿入）する様子を示している。当該テーブル９０は、例えば、飛行機の座席に備え付けられているテーブル９０、または、列車（例えば、特急または新幹線）の座席に備え付けられているテーブル９０である。テーブル９０の凹部９５の寸法（直径）は、その飛行機または列車の規格で統一されていることが多いので、その規格の凹部９５に対応する突起部３５を用いることが好ましい。なお、当該凹部９５は、ワゴンの載置面、トレーの載置面などに設けることも可能であり、その凹部９５の寸法にあわせて、コップホルダ１００の突起部３５を設計・作製することができる。
【００６６】
図１４に示すように、コップ１０の底面１５は、コップホルダ１００の環状壁部（円環状壁部）２０に収納されて固定（ホールド）される。そして、コップ１０は、コップホルダ１００の環状壁部２０で保持されながら板状部材３０で支持されるとともに、板状部材３０の裏面に位置する突起部３５が凹部９５に引っかかることでさらに安定なものになる。特に、飛行機で揺れることがおおいので、本実施形態のコップホルダ１００でコップ１０をテーブル９０に固定することができる効果は大きい。さらに、コップ１０の飲み物を飲まない時には、コップホルダ１００でコップ１０の蓋をすればよいので、その点でも、コップ１０の飲み物をこぼさないようにすることができる。
【００６７】
図１５および図１６は、環状壁部（円環状壁部）２０の一部に切れ目２２が形成された構成を有するコップホルダ１００を示している。図１５は、当該コップホルダ１００の上面側（コップホールドのコースター機能の側）の斜視図を示している。また、図１６は、当該コップホルダ１００の正面（または側面）を示す図である。
【００６８】
図１５および図１６に示した構成では、環状壁部（円環状壁部）２０に切れ目２２が形成されているので、コップ１０の底面１５の寸法にバラツキがあったとしても、当該切れ目２２によってそのずれを吸収することとができる。すなわち、切れ目２２によって環状壁部（円環状壁部）２０が広がりやすくなっているので、コップ１０を少し強めに押し込むことで、環状壁部２０によってコップ１０の底部をホールドすることができる。図示した例では、切れ目２２は、点対称の位置（ここでは、２カ所）で形成しているが、１カ所だけの形成でもよいし、対称でない位置で切れ目２２を複数形成しても構わない。また、環状壁部（円環状壁部）２０の上から下まで切れ目２２を形成する構造の他、途中まで切れ目２２を形成してもよい。
【００６９】
なお、図１５および図１６に示したコップホルダ１００に貫通孔３７を形成しても良いし、環状壁部（円環状壁部）２０を斜めに延びるようにしてもよい。また、当該コップホルダ１００から、突起部３５を取り除いて、板状部材３０の裏面３０Ｂを平らにしても構わない。
【００７０】
本考案の実施形態に係るコップホルダ１００によれば、コップ１０の底部（１５）を覆う環状壁部２０と、環状壁部２０に接続された板状部材３０とから構成されているので、大きい寸法（φ２）を有する板状部材３０によってコップ１０の転倒を防止することができる。そして、本実施形態のコップホルダ１００を逆にして、環状壁部２０をコップ１０内に入れて板状部材３０でコップ１０の口（開口部１３）を抑えることにより、コップ１０の蓋として機能させることができる。その結果、飲み物が入ったコップ（グラス）１０をトレイの上に置いた状態でサーブしても、コップ１０中の液体がこぼれないようにすることができる。特に、コップホルダ１００を蓋として使用する時だけでなく、コップホルダ１００をコップ１０の支え（土台）にした時の両方で、コップ１０中の液体がこぼれないようにすることができるので、サーブの準備およびサーブ実行時の両方で便利である。さらには、本実施形態のコップホルダ１００は、ホテルのレストラン・会場だけでなく、飛行機や列車内でのドリンクサーブの時にも便利である。
【００７１】
さらに、本実施形態のコップホルダ１００を用いると、ホテル内のレストラン・会場でのサーブ中に、高価な衣装（例えば、数百万から数千万円の和装など）に飲み物を掛けてしまう可能性を限界まで低減することができる。特に、テーブルとテーブルの間の狭いスペースを、飲み物が入ったグラスを片手でトレイに載せて移動しても、迅速かつ安定してサーブを行うことができる。その結果、グラスの飲み物をこぼさないようにする高度な訓練を簡略化することができ、教育コストも抑えることができるとともに、必要以上のサーブする人を配置しなくてもよいので人件費高騰を抑えることができる。加えて、迅速にサーブできることにより、お客への満足度を高めることができる。
【００７２】
（実施形態２）
本考案者は、上記実施形態１のコップホルダ１００とともに、図１７に示すようなコップホルダ１１０を考案した。図１７に示したコップホルダ１１０は、環状壁部２０と、環状壁部２０の外径（φ１）よりも大きい寸法（Ｌ２）を有する板状部材（円環状壁部）３０とから構成されている。環状壁部（円環状壁部）２０は、直接、板状部材３０に接続されており、そして、板状部材３０は、多角形形状（特に、正六角形）である。
【００７３】
本実施形態の板状部材３０は、多角形形状（特に、正多面体形状）を有しているが、図示した例では、上面からみて、正六角形の形状を有している。コップホルダ１１０のコップ１０の支持機能としては、板状部材３０は円形にしてもよい。ただし、本実施形態のコップホルダ１１０が正六角形の板状部材３０を備えることで、複数のコップホルダ１１０を平面上（例えばテーブル上またはトレイ上）で集めて一体化できる機能を発揮させている。具体的には、あるコップホルダ１１０の板状部材３０の側面３０ｓを、他のコップホルダ１１０の側面３０ｓと互いに隣接・密着させることで、複数のコップホルダ１１０を一体化させることができる。
【００７４】
本実施形態の板状部材３０における「正六角形」は、一体化させる機能を発揮させるものであるので、幾何学的な正六角形を含むだけでなく、角が丸い正六角形、一部直線部位に凹部の曲線が形成されているような正六角形であってよい。なお、上記実施形態１の構成において当該一体化の機能を付与させた場合は、実施形態１のコップホルダ１００の板状部材３０を正六角形にしてもよい。
【００７５】
図示したコップホルダ１１０は、円環状壁部２０の上面２０ｔは、水平方向（９９Ｂ）に沿って延びている。また、円環状壁部２０の側面２０ｓは、鉛直方向（９９Ａ）に沿って延びている。本実施形態の円環状壁部２０の形状および寸法は、使用するコップ１０に合わせて設計・作製することが好ましい。また、上述した実施形態１のコップホルダ１００の例示的寸法を使用することも可能である。
【００７６】
本実施形態のコップホルダ１１０に対応した盆５０の構成を図１８に示す。図１８に示した盆５０は、コップホルダ１１０の板状部材３０に対応した凹部（窪み部、リセス部）５７を備えている。凹部５７は、盆５０の主面（上面）において、複数形成されている。本実施形態では、点対称となるように凹部５７は配置されており、この例では、３つの凹部５７が配置されている。凹部５７の底面５３に接するように、コップホルダ１１０の板状部材３０が配置（挿入）される。凹部５７の底面５３と、他の隣接する底面５３との間には仕切り部（境界部）５３ｐが形成されている。
【００７７】
また、本実施形態の盆５０の縁部には、グラス（例えば、ワイングラス）を保持する開口部（グラスフック開口部）５５が形成されている。グラスフック開口部５５は、円弧形状を有しており、盆５０の円弧の側面５４でグラスを保持することができる。本実施形態の構成では、グラスフック開口部５５は、点対称となるように形成されており、この例では、３つのグラスフック開口部５５が設けられている。飲み物を入れたグラス（ワイングラス）は比較的重いので、点対称になるように引っかけるとバランスが取れて使い勝手がよい。
【００７８】
図１９から図２２は、それぞれ、本実施形態のコップホルダ１１０の斜視図、正面図（側面図）、上面図、底面図を示している。また、図２３は、複数（２つ）のコップホルダ１１０を、盆５０に載せた状態を示している。図２４は、本実施形態の盆５０の縁部５２（縁部側面５２ｓ、縁部上面５２ｔ）に形成されたグラスフック開口部５５に、グラス（ワイングラス）１４の本体容器部（ボウル部）１１を引っかけた様子を示す図である。グラス１４の台部（フット部）１９は、盆５０の下部に位置している。なお、場合によっては、グラス１４の台部１９を、盆５０の凹部の底面５３に載せても構わない。加えて、グラス１４とコップホルダ１１０との両方を盆５０に載せて運ぶことも可能である。
【００７９】
図２５から図２８は、それぞれ、本実施形態の盆５０の上面図、正面図、背面図、（側面図）、上面図、底面図を示している。図２９は、図２５に示した盆５０の改変例である。図２９に示した盆５０では、グラスフック開口部５５は、凹部の底面５３の一部にかかるように形成されている。また、グラスフック開口部５５は複数（４カ所）形成されているが、点対称でない配置で形成されている。図３０は、図２９に示した構成の上面図である。
【００８０】
図３１は、本実施形態の盆５０の更なる改変例である。図３１に示した盆５０では、凹部（底面５３）は、中心に１つ、周囲に６つの合計７つ形成されている。また、グラスフック開口部５５は、点対称で複数（６カ所）形成されている。図３２は、図３０に示した構成の上面図である。
【００８１】
図３３は、本実施形態の盆５０の別の改変例である。図３３に示した盆５０では、凹部（底面５３）は、中心に１つ、周囲に６つの合計７つ形成されている。図３４及び図３５４は、それぞれ、図３３に示した構成の上面図および正面図（側面図）である。図示した盆５０は、凹部（底面５３）が位置する中央領域５２ａと、グラスフック開口部５５が形成されている周辺領域５２ｃと、中央領域５２ａと周辺領域５２ｃとを接続する接続領域５２ｂとから構成されている。この例の盆５０では、中央領域５２ａは、周辺領域５２ｃよりも下に沈んだ形で形成されている。また、接続領域５２ｂは、水平方向（９９Ｂ）から傾斜して延びている。なお、上述した盆５０は、コップホルダ１１０を載せずに、普通のトレイとして使用しても構わない。
【００８２】
図３６は、本実施形態のコップホルダの改変例１１０を示している。図３７に示したコップホルダ１００の底面３０ｂには穴が形成されており、そして、コップホルダ１１０は、その底面３０ｂの穴に挿入する接続部（凸部）４５を有する突起補助具４０を備えている。突起補助具４０は、接続部（凸部）４５と、その接続部４５を支持する土台部（突起部）４２とから構成されている。本実施形態の突起補助具４０（土台部４２）は、上述の実施形態１のコップホルダ１００の突起部３５の部材に対応している。
【００８３】
図３７は、図３６に示したコップホルダ１１０に突起補助具４０に装着した様子を示している。図３８は、突起補助具４０を装着したコップホルダ１１０を、座席９１に取り付けられたテーブル９０の凹部９５に配置した様子を示している。
【００８４】
また、図３９および図４０は、本実施形態のコップホルダ１１０の底面図および断面図である。図３９に示すように、コップホルダ１００の底面３０ｂ（板状部材３０の底面３０ｂ）の中心に穴（挿入口）３９が形成されている。この例の挿入口（穴）３９は、貫通していない穴であるが、貫通孔にしてもよい。加えて、挿入口（穴）３９と、突起補助具４０の接続部（凸部）４５とを互いにネジ構造で結合する構成にしてもよいし、ネジ構造での結合でなく挿入固定する構成であってもよい。なお、コップホルダ１１０の底面３０ｂに接続部（凸部）を形成して、突起補助具４０に挿入口（穴）を形成して、そこで挿入固定（嵌合固定）、または、ネジ締結固定を行うようにしても構わない。
【００８５】
図４１は、図３６に示したコップホルダ１１０に対応した盆５０を示している。図示した盆５０では、盆５０の凹部内の底面５３に接続部（凸部）５９を形成して、その接続部（凸部）５９を、当該コップホルダ１１０の挿入口（穴）３９に入れている。この構成の場合、コップ１０を保持するコップホルダ１１０は、盆５０の接続部（凸部）５９で固定することができるので、より安定して、飲み物入りのコップ１０を盆５０でサーブすることができる。
【００８６】
図４２は、図４１に示した盆５０の改変例である。図４２に示した盆５０では、盆５０の一部（ここでは、凹部の底面５３内）に、指を挿入できる貫通孔５７が形成されている。サーブする人（ウエイター、ウエイトレス）の指を貫通孔５７に入れることができるので、より確実に盆５０を持って運ぶことができる。特に、コップ１０をセットしたコップホルダ１１０を複数配置して、さらにワイングラスをグラスフック開口部５５に掛けた場合は、盆５０はかなり重くなるが、その重い場合でも安定して盆５０を持って運ぶことができる。
【００８７】
なお、本実施形態では、コップホルダ１１０にはコップ１０を入れたが、それだけでなく、図４３に示すように、コップホルダ１１０に花１８を入れることも可能である。コップホルダ１１０に花１８を入れるとテーブルフラワーアレンジメントにすることができ、その結果、レストランや結婚式会場で簡単にテーブルフラワーアレンジメントをセットすることができる。図４３に示した花入りのコップホルダ１１０を複数まとめると、図４４に示すようになる。加えて、本実施形態の構成（１８、１１０）によれば、結婚式やパーティなどの飾り花（１８）を、お土産用・お持ち帰り用として簡単に分けて持ち替えることができる。
【００８８】
図３９に示した底面３０ｂに穴３９を有するコップホルダ１１０に花１８を入れた場合には、花を飾る場所（例えば、タワー）の上面に接続部（例えば、凸部４５）を設けておけば、その場所に、当該コップホルダ１１０を使ってフラワーアレンジメントを行うことができる。その結果、フラワーアレンジメントのセットが容易になるとともに、いろんな場所に花１８を配置することが簡単になる。なお、図３７に示すようにコップホルダ１１０に突起補助具４０に装着した形態で、花を飾る場所（例えば、タワー）の上面に凹部を設けて、その凹部にコップホルダ１１０をセットすることで花１８を配置してもよい。
【００８９】
（実施形態３）
本考案者は、さらに、上記実施形態２の盆５０とは異なる形態で、コップ１０とグラス１４とを保持できる盆を考案した。図４５に示した盆７０は、コップホルダ（２０）を備えた盆であり、コップ１０（タンブラー）とグラス１４（ゴブレット）の両方を載せて運ぶことができる。
【００９０】
本実施形態の盆７０は、コップ（１０）を収納する環状壁部（円環状壁部）２０と、環状壁部２０の下方に位置するトレイ部６０とから構成されている。トレイ部６０のうち環状壁部２０内の底面に位置する部位には、コップ（１０）の底面を支持する底上げ部７５が形成されている。そして、環状壁部２０とトレイ部６０との間の少なくとも一部には、隙間７２が形成されている。
【００９１】
本実施形態の構成では、円環状壁部２０は、複数個（ここでは、４個）、トレイ部６０に設けられている。図４５に示すように、円環状壁部２０の下部に形成された隙間７２には、グラス（ワイングラス）１４のフット部１９を挿入することができる。環状壁部２０はコップ（１０）が入れられるが、環状壁部２０内の底面には底上げ部７５が配置されているので、コップ（１０）の底部（１５）と、グラス１４のフット部１９とが接触しないようになっている。
【００９２】
本実施形態の盆７０において隙間７２は、グラス１４のフット部１９が配置される位置にあわせて形成される。図示した構成において、トレイ部６０は、円環状壁部２０および底上げ部７５（そしてグラスのフット部１９の底面）が配置される載置部（平面部）６１と、載置部６１の縁部に形成された外縁壁部６２とから構成されている。図４６では、グラス１４を外した形態の盆７０を示している。また、図４７は、盆７０を上面から見た構成を説明するための図である。
【００９３】
図４６に示した盆７０は、樹脂材料によって一体成形されており、各部位（２０、７５、６０）は連続して接続されている。ただし、盆７０の構成は一体成形に限らず、円環状壁部２０をトレイ部６０から着脱自在にしてもよい。円環状壁部２０を取り外せるようにすると、複雑な構造の部分が減るので、汚れを洗うのが楽になる。特に、ホテルのレストランでは清潔が求められるので、汚れがとれやすい構造にして洗浄できるのは便利である。円環状壁部２０が着脱自在の構造の場合、トレイ部６０に対して円環状壁部２０をネジ構造や嵌合構造で固定できるような構造にしたらよい。さらに、底上げ部７５を着脱自在の構造にしてもよい。なお、盆７０は、樹脂材料だけでなく、他の材料（金属など）で構成しても構わない。
【００９４】
図４８は、本実施形態の盆７０の改変例を示している。図４８に示した盆７０では、リング部材７９Ａによって隙間７２を形成している。さらに説明すると、リング部材７９Ａの空洞は、底上げ部７５の外形に対応したものとなっている。そして、この例の円環状壁部２０は、上面は開放しており且つ底面においてリング部材７９Ａと接触して止まる蓋を有する円筒部材から構成されている。円環状壁部２０を構成する円筒部材の底面には、底上げ部７５の外形に対応した開口部２９Ｂが形成されている。
【００９５】
図４５に示した盆７０の場合、グラス１４のフット部１９にあわせて隙間７２を形成するために、グラス１４の種類によってはグラス１４をホールドするのに適切でない盆７０になってしまう可能性がある。一方、図４８に示した盆７０では、リング部材７９Ａによって隙間（７２）を全方位に形成することができるので、グラス１４のフット部１９にあわせた隙間（７２）にするのが容易である。さらに、リング部材７９Ａの厚さを調整することで（厚さの違うリング部材７９Ａを設計したり、比較的薄いリング部材７９Ａを重ねたりする）、隙間（７２）の高さを調整することができる。加えて、外径の異なるリング部材７９Ｂ、７９Ｃを用いることで、グラス１４のフット部１９が適切に引っかかるような適度な隙間（７２）を作ることも簡単である。図４８に示した盆７０の場合、各部材（２０、７９Ａ〜７９Ｃ、７５）を係合するようにして固定させることができる。また、図４８に示した盆７０の場合において、各部材（２０、７９Ａ〜７９Ｃ、７５）を他の手法（例えば、磁石による固定、接着剤の固定など）で固定することも可能である。
【００９６】
本実施形態の盆７０では、コップ１０（タンブラー）とグラス１４（ゴブレット）の両方を載せたときでも、上述の実施形態２の盆５０よりもさらに安定しているという効果がある。上記実施形態２の盆５０の場合、盆５０の縁にグラス１４を引っかけるのでどうしても重くなる。それに比べると、本実施形態の盆７０の場合、トレイ部６０でグラス１４を載置しているので安定である。
【００９７】
飛行機のキャビンでは、コーヒー、紅茶、ジュース、水、スープなどに加えて、ワイン、シャンパンなどを出す必要がある場合がある。キャビンアテンダントは飛行機が揺れる可能性がある中、複数種類の飲みものをサーブする必要があるが、そのような時に、本実施形態の盆７０を用いると非常に便利である。ワインやシャンパンなどはグラス１４に入れて、コーヒーや水などはコップ１０に入れて、そして、それらを盆７０にセットすれば安定してサーブすることができる。もちろん、飛行機のキャビンだけでなく、列車の中でのワゴン販売、立食パーティでのドリンク提供などにおいても、本実施形態の盆７０の技術的な貢献度は大きい。
【００９８】
なお、飛行機のキャビンにおいてグラス１４でサーブしない場合には、図４９に示すような盆７０Ｂを用いることができる。
【００９９】
図４９に示した盆７０Ｂは、コップホルダ（２０）を備えた盆である。図示した盆７０Ｂは、コップ（１０）を収納する環状壁部（円環状壁部）２０と、環状壁部２０の下方に位置するトレイ部６０とから構成されている。環状壁部２０は、複数個、トレイ部６０に設けられており、そして、環状壁部２０は、トレイ部６０に一体的に形成されている。また、本実施形態の構成においては、環状壁部２０は、断面が円形で側面２０ｓが傾斜した壁部である。そして、環状壁部２０は、トレイ部６０の中心線（ＣＬ）からずれた位置に配置されている。なお、中心線（ＣＬ）は、トレイ部６０の長手（縦）方向に延びる線であって、短辺（横）方向の長さＬ１とＬ２が同じ距離の線のことを意味する。
【０１００】
図４９に示した例は、２つの環状壁部（円環状壁部）２０の中心点が、トレイ部６０の上面６１における中心線（ＣＬ）の上に位置しておらず、ここでは、Ｌ２の側に寄った形態で２つの環状壁部２０が配置されている。このようにすると、Ｌ１の側において、備品（例えば、砂糖、クリープ、スプーン、おしぼり等）を置くことができて便利である。また、本実施形態の盆７０Ｂに紙コップ（１０）をセットして、飛行機のキャビン内で盆７０Ｂごとサーブすれば、キャビンアテンダントから比較的遠い乗客にも簡単にドリンクを渡すことができるとともに、環状壁部２０によってコップがホールドされているので、ドリンクをこぼす可能性を大幅に減らすことができる。
【０１０１】
加えて、図４９に示した構成において、環状壁部２０の側面２０ｓの下部に隙間（図４５中の７２）を形成して、その隙間にグラス１４のフット部１９を引っかけて固定することができるような構成にしても構わない。
【０１０２】
以上、本考案を好適な実施形態により説明してきたが、こうした記述は限定事項ではなく、勿論、種々の改変が可能である。例えば、上述した実施形態１のコップホルダ１００においては、種々の改変例を説明したが、さらに図５０に示すようなコップホルダ１００のような改変を行うことができる。図５０に示した構造では、コップホルダ１００の裏面（３０Ｂ）の突起部３５を形成するための凹部２７Ｂが形成されている。さらに、図５０に示したコップホルダ１００に貫通孔３７を形成することも可能である。また、図４８に示した盆７０において、環状壁部２０の数や配置を変更することも可能であるし、トレイ部６０の形状を変更（例えば、円形、楕円形など）することもできる。加えて、図４９に示した盆７０Ｂにおいて、環状壁部２０の数や配置を変更することも可能であるし（例えば、中心線ＣＬに配置される環状壁部２０が存在する構成）、トレイ部６０の形状を変更（例えば、円形、楕円形など）することもできる。なお、上記実施形態１から３またはそれらの改変例において各特徴・構造・形状などは不都合が生じない限り、相互に適用することができ、当該適用によってそれらの作用・効果を利用することが可能である。一例を挙げると、環状壁部２０の側面θ（斜めの角度、または、鉛直方向）、環状リブ部２６、切れ目２２などの特徴を、他の実施形態における環状壁部（例えば、円環状壁部）２０に適用することも可能である。また、図１８に示した構成において、板状部材３０を円形にして、それに対応するように、盆５０（グラスフック開口部５５を設けた形状のもの、または、グラスフック開口部５５を設けない形状のもの）において凹部１７内の底面５３の形状を円形にしてもよい。加えて、上述した実施形態の図面において特に指定しないものの底面は平面であり、それにより所定の図面から六面図（立体図）を導き出すことができるが、当該底面を平面以外の構成・形状（らせん・同心円の溝、直線・曲線の溝、波打ち曲面、幾何学模様など）にしても構わない。
【産業上の利用可能性】
【０１０３】
本考案によれば、ホテル内のレストラン・会場でサーブする際にグラス中の飲み物がこぼれないようにコップを保持できるコップホルダを提供することができる。
【符号の説明】
【０１０４】
１０   コップ（グラス）
１１   コップ本体部
１２   開口縁部
１３   開口部
１４   グラス
１５   底面
１７   縮径部位
１８   花
１９   台部（フット部）
２０   環状壁部（円環状壁部）
２２   切れ目
２６   環状リブ部
２７   凹部
２８   台座部
３０   板状部材（円盤状部材）
３２   壁部
３５   突起部
３７   貫通孔（ストロー孔）
３９   穴
４０   突起補助具
４５   接続部（凸部）
４７   隙間
５０   盆
５２   縁部
５３   凹部の底面
５５   グラスフック開口部
５７   凹部
５７   貫通孔
６０   トレイ部
６１   載置部
６２   外縁壁部
７０   盆
７０Ｂ 盆
７２   隙間
７５   底上げ部
７９Ａ〜７９Ｃ       リング部材
９０   テーブル
９５   テーブルの凹部
１００ コップホルダ
１１０ コップホルダ
１０００      コップホルダ
１１００      紙コップ
１２１０      コップ保持体
１２５０      把持体
２０００      コップセット
２１００      コップ
２２１０      ホルダー本体部
２２５０      持手
３０００      コップホルダ
３１００      コップ
３２１０      円筒部
３２３０      底面部
４０００      コップ全体
４１００      コップ
４２００      覆い蓋
４３００      蓋
【図１】
0003208327.tif 000003
【図２】
0003208327.tif 000004
【図３】
0003208327.tif 000005
【図４】
0003208327.tif 000006
【図５】
0003208327.tif 000007
【図６】
0003208327.tif 000008
【図７】
0003208327.tif 000009
【図８】
0003208327.tif 000010
【図９】
0003208327.tif 000011
【図１０】
0003208327.tif 000012
【図１１】
0003208327.tif 000013
【図１２】
0003208327.tif 000014
【図１３】
0003208327.tif 000015
【図１４】
0003208327.tif 000016
【図１５】
0003208327.tif 000017
【図１６】
0003208327.tif 000018
【図１７】
0003208327.tif 000019
【図１８】
0003208327.tif 000020
【図１９】
0003208327.tif 000021
【図２０】
0003208327.tif 000022
【図２１】
0003208327.tif 000023
【図２２】
0003208327.tif 000024
【図２３】
0003208327.tif 000025
【図２４】
0003208327.tif 000026
【図２５】
0003208327.tif 000027
【図２６】
0003208327.tif 000028
【図２７】
0003208327.tif 000029
【図２８】
0003208327.tif 000030
【図２９】
0003208327.tif 000031
【図３０】
0003208327.tif 000032
【図３１】
0003208327.tif 000033
【図３２】
0003208327.tif 000034
【図３３】
0003208327.tif 000035
【図３４】
0003208327.tif 000036
【図３５】
0003208327.tif 000037
【図３６】
0003208327.tif 000038
【図３７】
0003208327.tif 000039
【図３８】
0003208327.tif 000040
【図３９】
0003208327.tif 000041
【図４０】
0003208327.tif 000042
【図４１】
0003208327.tif 000043
【図４２】
0003208327.tif 000044
【図４３】
0003208327.tif 000045
【図４４】
0003208327.tif 000046
【図４５】
0003208327.tif 000047
【図４６】
0003208327.tif 000048
【図４７】
0003208327.tif 000049
【図４８】
0003208327.tif 000050
【図４９】
0003208327.tif 000051
【図５０】
0003208327.tif 000052